(57)【要約】【課題】横断面形状が矩形である液体用貯蔵タンクにおけるスロッシングを効率良く制振することができると共に、液体用貯蔵タンクへの取付けも容易な制振装置及び制振方法を提供すること。【解決手段】平面視において中心部で十字状に交差する４つの壁部３を備え、且つ液体用貯蔵タンクＴに貯蔵された貯蔵液体Ｗに対して液面から所定深さまでの範囲に位置する状態で浮遊可能に構成されている制振用パネル２を備え、壁部３が、複数のスリット４を有し、最大横幅が、液体用貯蔵タンクＴの横断面において対向する２辺の間の距離のうちの小さい方の長さ、又は前記対向する２辺の間の距離が同じ場合はその長さよりも大きく設定されていることを特徴とする制振装置。【選択図】図１
2015147590.tif 000002
【特許請求の範囲】
【請求項１】
横断面形状が矩形である液体用貯蔵タンクに配設されてスロッシングを制振する制振装置であって、
平面視において中心部で十字状に交差する４つの壁部を備え、且つ前記液体用貯蔵タンクに貯蔵された貯蔵液体に対して液面から所定深さまでの範囲に位置する状態で浮遊可能に構成されている制振用パネルを備え、
前記壁部が、複数のスリットを有し、
最大横幅が、前記液体用貯蔵タンクの横断面において対向する２辺の間の距離のうちの小さい方の長さ、又は前記対向する２辺の間の距離が同じ場合はその長さよりも大きく設定されていることを特徴とする制振装置。
【請求項２】
横断面形状が矩形の外枠部材を備え、前記制振用パネルが該外枠部材の中に固定されていることを特徴とする請求項１に記載の制振装置。
【請求項３】
前記外枠部材が、前記液体用貯蔵タンクの内周全体に沿う大きさに設定されており、前記制振用パネルの端部のそれぞれが、前記外枠部材の矩形の各辺の中点において固定されている請求項２に記載の制振装置。
【請求項４】
前記制振用パネルが平面視で８の字状であることを特徴とする請求項１に記載の制振装置。
【請求項５】
横断面形状が矩形である液体用貯蔵タンクのスロッシングを制振する方法であって、
複数のスリットを有する、平面視において中心部で十字状に交差する４つの壁部を備え、且つ、最大横幅が、前記液体用貯蔵タンクの横断面において対向する２辺の間の距離のうちの小さい方の長さ、又は前記対向する２辺の間の距離が同じ場合はその長さよりも大きく設定されている制振装置を、前記液体用貯蔵タンクに貯蔵された貯蔵液体に対して液面から所定深さまでの範囲に位置する状態で浮遊させて配設することを特徴とする制振方法。
【請求項６】
前記所定深さが、前記貯蔵液体の貯蔵深さの１／９〜１／３である請求項５に記載の制振方法。
【発明の詳細な説明】
【技術分野】
【０００１】
本発明は、横断面形状が矩形である液体用貯蔵タンクに配設されてスロッシングを制振する制振装置及び制振方法に関する。
【背景技術】
【０００２】
従来から、地震時における液体用貯蔵タンク内でのスロッシング現象（以下、「スロッシング」と略称する）が問題となっていた。スロッシングとは、容器内の液体が外部からの比較的長周期な振動によって揺動することである。このスロッシングに対して何の対策も施していないと、液体の波がタンク周壁や天井に繰り返し衝突し、液体用貯蔵タンクが損傷することがある。したがって、スロッシングへの各種対策が提案されてきた。
【０００３】
スロッシングのメカニズムとしては、貯蔵液体の水深とタンク長とでスロッシングの固有振動数が決まることは解明されている。しかし、その他の細かなメカニズムについては完全には解明されていない。このような実情の中、球状の液体用貯蔵タンクであれば、横断面形状が円であるため、地震波の入力方向が何れの方向であっても、スロッシングの挙動が同じであり、スロッシングへの対策を講じやすい。しかし、横断面形状が矩形の液体用貯蔵タンクは、地震波の入力方向によってスロッシングの挙動が異なり、その方向によっては想像以上の甚大な被害が生じることがあった。
【０００４】
例えば、受水槽には、横断面形状が矩形状の液体用貯蔵タンクが多く採用されているところ、平成２３年東北地方太平洋沖地震においては、病院や学校等の大型施設における大容量の受水槽の損壊が多く見られた。受水槽内に貯蔵された上水の容量が大きく、その揺動エネルギー自体が大きいことが原因の一つであるのは当然ながら、その他の原因として、波が受水槽の角部分に集まって、波の進行速度が一気に高められると共に液面が一気に上昇させられ、周壁や天井に衝突したと推定できる。
【０００５】
これまでに、横断面形状が矩形である液体用貯蔵タンクのスロッシングを制振するものとして、例えば、特許文献１に示すようなものが提案されている。特許文献１に記載の技術においては、横断面形状が矩形である液体用貯蔵タンク（文献では、「流体貯蔵タンク」）の内部空間を、内部セル壁構造体によって複数の小さいセルに分割している。内部セル壁構造体は、複数の板状の内部セル壁を、液体用貯蔵タンクの全高に亘って鉛直方向に沿った状態で、平面視格子状に組み合わせて構成されている。さらに、液体用貯蔵タンクの底部分において、内部セル壁に一つの大きな通路開口を備え、全セル間で流体（点検時には人）が行き来可能なように構成されている。
【０００６】
特許文献１に記載の技術のように構成すると、液体用貯蔵タンク全体としての実質的な容量は確保しつつも、見かけ上の容量が小さくなるので、スロッシング時の流体の揺動エネルギーが細かく分断され、スロッシングによる液体用貯蔵タンクの損壊が軽減されると考えられる。
【先行技術文献】
【特許文献】
【０００７】
【特許文献１】特表２００８−５０３７０３号公報（請求項１、段落番号［００５１］、［００５２］、図１等参照）
【０００８】
しかしながら、特許文献１に記載の技術は、スロッシング自体を制振するものではなく、液体の揺動エネルギーを分割するだけであって、かつ、セルの下部空間では通路開口を介して流体の移動が可能であるものの、スロッシングが顕著に発生する上部空間では流体の移動が全くできない。したがって、大地震が発生して各セル内でのスロッシングが非常に大きくなった場合は、全ての揺動エネルギーが内部セル壁に作用し、かつ、液体の揺動エネルギーが減衰されないので、最終的に内部セル壁が損壊する虞がある。
【０００９】
また、特許文献１に記載の技術では、内部セル壁が全高に亘っており、かつ、格子状に組み合わされている。一般的に、受水槽等は、ジャングルジムのように構造フレームを組んで、その周囲にパネルを取付けた構造であるので、この技術では、既存のものに対しての施工が困難であり、汎用性が低くなる虞がある。しかも、この技術では、部材量が多いので、設置コストが嵩む虞もある。
【発明の概要】
【発明が解決しようとする課題】
【００１０】
本発明は、上記実情に鑑み、横断面形状が矩形である液体用貯蔵タンクにおけるスロッシングを効率良く制振することができると共に、液体用貯蔵タンクへの取付けも容易な制振装置及び制振方法を提供することを目的とする。
【課題を解決するための手段】
【００１１】
本発明の制振装置に係る第１特徴構成は、横断面形状が矩形である液体用貯蔵タンクに配設されてスロッシングを制振する制振装置であって、平面視において中心部で十字状に交差する４つの壁部を備え、且つ前記液体用貯蔵タンクに貯蔵された貯蔵液体に対して液面から所定深さまでの範囲に位置する状態で浮遊可能に構成されている制振用パネルを備え、前記壁部が、複数のスリットを有し、最大横幅が、前記液体用貯蔵タンクの横断面において対向する２辺の間の距離のうちの小さい方の長さ、又は前記対向する２辺の間の距離が同じ場合はその長さよりも大きく設定されている点にある。
【００１２】
〔作用及び効果〕
本構成によれば、液体の流通を許容するスリットを複数有する十字形の制振用パネルを、液体用貯蔵タンクに貯蔵された貯蔵液体に対して液面から所定深さまでの範囲に位置する状態で浮遊させるため、スロッシング時に液体の一部の制振用パネル流通は可能であるが、一部の制振用パネル流通は制限される。したがって、液体は、制振用パネル流通の際に粘性が高まったかのような挙動を示し、その揺動エネルギーが減衰される。その結果、スロッシングが制振され、液体用貯蔵タンクの損壊が防止される。また、一部の液体が制振用パネルを流通できるので、流体の流通を完全阻止するようなものと比較して、制振用パネルに作用する液体の衝突力が小さくなり、この点からも液体用貯蔵タンクの損壊が防止される。
【００１３】
また制振用パネルが一枚の平板だけで構成される場合、液体の揺動方向（液体用貯蔵タンクの揺れ方向）が制振用パネルに沿った方向と平行または略平行な方向であると、制振用パネルを流通する液体量が少なくなり、制振用パネルが機能せず、スロッシングが制振されない虞がある。しかし、本構成によれば、制振用パネルの横断面形状が十字形であるため、液体の揺動方向が何れの方向であっても、制振用パネルと液体の揺動方向との交差角度が４５度以上で、液体が制振用パネルを流通する部分が存在し、制振用パネルを流通する液体量をある程度確保でき、スロッシングの制振効果が担保される。
【００１４】
また本構成の制振装置は、液体用貯蔵タンクに固定するものではなく、貯蔵液体に浮遊させて使用するものであるため、予め作製した制振装置を、既設の液体用貯蔵タンクに設置することができて施工性が良い。
【００１５】
また、本構成の制振装置における制振用パネルは、液体流通可能な部分として壁部に複数のスリットを備えるものであるため、液体流通可能な部分として複数の孔を備える場合と比べて、カビ取りなどの清掃作業を実施し易い。
【００１６】
また本構成の制振装置の最大横幅が、液体用貯蔵タンクの横断面において対向する２辺の間の距離のうちの小さい方の長さ、又は前記対向する２辺の間の距離が同じ場合はその長さよりも大きく設定されている。従って、浮遊する制振装置が水平方向に回転をしようとしても、制振装置が液体用貯蔵タンクの内周面に接触して制振装置の回転運動を制限するため、より高いスロッシング抑制効果が発揮される。
【００１７】
第２特徴構成は、横断面形状が矩形の外枠部材を備え、前記制振用パネルが該外枠部材の中に固定されている点にある。
【００１８】
〔作用及び効果〕
本構成のごとく外枠部材を備えることにより、制振装置全体の剛性が向上するため、大地震が発生して大きなスロッシングが発生した場合も、その揺動エネルギーに耐えて、変形や破損の生じ難い強度を確保することができる。
【００１９】
第３特徴構成は、前記外枠部材が、前記液体用貯蔵タンクの内周全体に沿う大きさに設定されており、前記制振用パネルの端部のそれぞれが、前記外枠部材の矩形の各辺の中点において固定されている点にある。
【００２０】
〔作用及び効果〕
本構成によれば、外枠部材が、液体用貯蔵タンクの内周全体に沿う大きさに設定されているため、浮遊する制振装置の水平方向の回転運動だけでなく、水平移動も規制されることとなり、さらにより高いスロッシング抑制効果が発揮される。
また本構成によれば、制振用パネルが、横断面形状が矩形である液体用貯蔵タンクの略全幅に亘るように配置されるため、液体用貯蔵タンクにおいて、効率良く広範囲に制振用パネルが配設されていることになり、制振装置によるスロッシング制振効果を効率良く発揮させられる。
【００２１】
第４特徴構成は、前記制振用パネルが平面視で８の字状である点にある。
【００２２】
〔作用及び効果〕
本構成のごとく制振用パネルを平面視で８の字状に構成することによって、制振用パネル自体が張力を有するため、外枠部材を別に設けなくとも高い剛性を確保することができる。
【００２３】
本発明の制振方法に係る第１特徴構成は、横断面形状が矩形である液体用貯蔵タンクのスロッシングを制振する方法であって、複数のスリットを有する、平面視において中心部で十字状に交差する４つの壁部を備え、且つ、最大横幅が、前記液体用貯蔵タンクの横断面において対向する２辺の間の距離のうちの小さい方の長さ、又は前記対向する２辺の間の距離が同じ場合はその長さよりも大きく設定されている制振装置を、前記液体用貯蔵タンクに貯蔵された貯蔵液体に対して液面から所定深さまでの範囲に位置する状態で浮遊させて配設する点にある。
【００２４】
〔作用及び効果〕
本構成によれば、液体の流通を許容するスリットを複数有する十字形の制振装置を、液体用貯蔵タンクに貯蔵された貯蔵液体に対して液面から所定深さまでの範囲に位置する状態で浮遊させるため、スロッシング時に液体の一部の制振装置流通は可能であるが、一部の制振装置流通は制限される。したがって、液体は、制振装置流通の際に粘性が高まったかのような挙動を示し、その揺動エネルギーが減衰される。その結果、スロッシングが制振され、液体用貯蔵タンクの損壊が防止される。また、一部の液体が制振装置を流通できるので、流体の流通を完全阻止するようなものと比較して、制振装置に作用する液体の衝突力が小さくなり、この点からも液体用貯蔵タンクの損壊が防止される。
【００２５】
また制振装置が一枚の平板だけで構成される場合、液体の揺動方向（液体用貯蔵タンクの揺れ方向）が制振装置に沿った方向と平行または略平行な方向であると、制振装置を流通する液体量が少なくなり、制振装置が機能せず、スロッシングが制振されない虞がある。しかし、本構成によれば、制振装置の横断面形状が十字形であるため、液体の揺動方向が何れの方向であっても、制振装置と液体の揺動方向との交差角度が４５度以上で、液体が制振装置を流通する部分が存在し、制振装置を流通する液体量をある程度確保でき、スロッシングの制振効果が担保される。
【００２６】
また本構成の制振装置は、液体用貯蔵タンクに固定するものではなく、貯蔵液体に浮遊させて使用するものであるため、予め作製した制振装置を、既設の液体用貯蔵タンクに設置することができて施工性が良い。
【００２７】
また、本構成の制振装置は、液体流通可能な部分として壁部に複数のスリットを備えるものであるため、液体流通可能な部分として複数の孔を備える場合と比べて、カビ取りなどの清掃作業を実施し易い。
【００２８】
また本構成の制振装置の最大横幅が、液体用貯蔵タンクの横断面において対向する２辺の間の距離のうちの小さい方の長さ、又は前記対向する２辺の間の距離が同じ場合はその長さよりも大きく設定されている。従って、浮遊する制振装置が水平方向に回転をしようとしても、液体用貯蔵タンクの内周面に接触して回転運動が制限されるため、より高いスロッシング抑制効果が発揮される。
【００２９】
第２特徴構成は、前記所定深さが、前記貯蔵液体の貯蔵深さの１／９〜１／３である点にある。
【００３０】
〔作用及び効果〕
本構成のごとく、制振装置を液面から貯蔵液体の貯蔵深さの１／９〜１／３の深さまでの範囲に位置する状態で浮遊させることによって、制振装置のスロッシング制振効果をより確実且つ十分に発揮させることができる。
【図面の簡単な説明】
【００３１】
【図１】本発明の制振装置（第１実施形態）を適用した受水槽の縦断側面図である。
【図２】本発明の制振装置（第１実施形態）の配置を示す横断平面図である。
【図３】本発明の制振装置（第１実施形態）の斜視図である。
【図４】ダンパーパネルとジョイントバーとの組み付け前（ａ）と組み付け後（ｂ）の斜視図である。
【図５】ダンパーパネル、ジョイントバー、ストッパーキャップ、及びスペーサーの組み付けを示す斜視図である。
【図６】本発明の制振装置（第１実施形態）に係るその他の実施形態を示す斜視図である。
【図７】本発明の制振装置（第１実施形態）に係るその他の実施形態を示す斜視図である。
【図８】本発明の制振装置（第２実施形態）の斜視図である。
【図９】嵌合部材の（ａ）平面図、（ｂ）正面図、（ｃ）底面図、（ｄ）側面図である。
【図１０】２つの嵌合部材を嵌め合わせてジョイント部材を形成するときの様子を示す斜視図である。
【図１１】ジョイント部材にダンパーパネルを嵌め込むときの様子を示す斜視図である。
【図１２】制振装置によるスロッシング制振効果を示す模式図である。
【図１３】実証実験で使用した貯水タンクを模式的に示した斜視図（ａ）及び横断面図（ｂ）である。
【図１４】本発明の制振装置を設置しなかった貯水タンクにおけるパネル中央部の加速度の時系列変化を示す実証データである。
【図１５】本発明の制振装置を設置した貯水タンクにおけるパネル中央部の加速度の時系列変化を示す実証データである。
【図１６】貯水タンクのバルジング現象を模式的に示した斜視図である。
【図１７】本発明の制振装置を設置した貯水タンクにおけるパネルのパワースペクトルを示す実証データである。
【図１８】本発明の制振装置を設置しなかった貯水タンク内部における歪みの時系列変化を示す実証データである。
【図１９】本発明の制振装置を設置した貯水タンク内部における歪みの時系列変化を示す実証データである。
【図２０】本発明の制振装置を設置しなかった貯水タンクにおける１次スロッシングモードでの波高の時系列変化を示す実証データである。
【図２１】本発明の制振装置を設置した貯水タンクにおける１次スロッシングモードでの波高の時系列変化を示す実証データである。
【図２２】本発明の制振装置を設置しなかった貯水タンクにおける２次スロッシングモードでの波高の時系列変化を示す実証データである。
【図２３】本発明の制振装置を設置した貯水タンクにおける２次スロッシングモードでの波高の時系列変化を示す実証データである。
【発明を実施するための形態】
【００３２】
〔第１実施形態〕
本発明の制振装置の第１実施形態について、図面に基づいて説明する。
〔液体用貯蔵タンク〕
本実施形態における液体用貯蔵タンクＴは、図１及び図２に示すごとく、矩形（正方形又は長方形）の横断面形状を有する一般的な箱状躯体として構成されており、内部に貯蔵液体Ｗを貯蔵可能である。尚、液体用貯蔵タンクＴとしては、このような簡素な構成を備えるものに限らず、他にも例えば、鉛直方向に沿った状態で前後方向かつ左右方向に一定間隔を空けて設置された複数の鉛直フレームと、水平方向に沿った状態で前後方向及び左右方向に一定間隔を空けて設置された複数の水平フレームと、を組み合わせてジャングルジムのような籠状に組み上げて構造体を形成し、その外周にパネルを取付けてあるような構成としても良い。
本発明に適用可能な液体用貯蔵タンクＴとしては、例えば、上水を貯蔵可能な受水槽等が挙げられるが、これに限定されるものではない。
【００３３】
〔制振装置〕
図１及び図２に示すように、本実施形態に係る制振装置は、スロッシングを制振する制振用パネル２を備えて構成される。図１に示すように、本発明に係る制振装置は、所謂「フロート式」の制振装置であって、液体用貯蔵タンクＴの内部の貯蔵液体Ｗに対してその液面ＷＬから所定深さＤまでの範囲に位置する状態で、貯蔵液体Ｗに浮遊するように構成されている。尚、所定深さＤは、十分な制振効果を確保するため、貯蔵液体Ｗの貯蔵深さの１／９〜１／３であることが望ましい。
【００３４】
〔制振用パネル〕
図３に示すように、本実施形態に係る制振用パネル２は、平面視において中心部で十字状に交差する４つの壁部３を備える。各壁部３には、液体の流通を許容する部分として、壁部３の横方向全体に亘る複数のスリット４が、縦方向に所定の間隔をおいて設けられている。
【００３５】
制振用パネル２のスリット４は、縦方向に隣接する２つのダンパーパネル２０の間に、後述するスペーサー３０を介在させることによって形成されるものであるため、スリット４の数については、使用するスペーサー３０の数により必要に応じて適宜設定することができる。尚、スリット４の縦幅は、スペーサー３０の大きさやその設置数によって規定され、スリット４の横幅は、後述する第１ジョイントバー５とダンパーパネル２０の長手方向の長さによって規定される。
【００３６】
本実施形態に係る制振装置の最大横幅は、制振用パネル２の横幅、即ち、平面視で直線状に連結された２つの壁部３に亘る長さＬ１（平面視で制振用パネル２を十字とみなしたときに交差する直線の長さ）が制振装置の最大横幅となる（図２参照）。
【００３７】
図２に示すように、この長さＬ１は、液体用貯蔵タンクＴの横断面の矩形において対向する２辺の間の距離のうちの小さい方の長さＬ２、または対向する２辺の間の距離が同じ場合はその長さＬ３、よりも大きく設定される（Ｌ１＞Ｌ２又はＬ３）。本実施形態における液体用貯蔵タンクＴは、正方形の横断面形状を有するため、対向する２辺の間の距離はいずれも同じ長さＬ３である。尚、制振用パネル２における２つの壁部３に亘る長さが異なる場合（平面視で制振用パネル２を十字とみなしたときに交差する２本の直線の長さが異なる場合）は、長い方が最大横幅となる。
【００３８】
以上の構成により、浮遊する制振用パネル２が水平方向に回転をしようとしても、制振用パネル２が液体用貯蔵タンクＴの内周面に接触するため回転運動が制限される。
【００３９】
本実施形態における上述の制振用パネル２は、後述するダンパーパネル２０、第１及び第２ジョイントバー５，６、ストッパーキャップ１０、並びにスペーサー３０を組み合わせることにより構成される。
【００４０】
〔ダンパーパネル〕
図４に示すように、ダンパーパネル２０は、矩形の平板であり、ポリエチレン等の樹脂で構成されている。以下説明の便宜上、ダンパーパネル２０の幅方向Ｘ１と長手方向Ｘ２とを図４に示すごとく定義する。ダンパーパネル２０の幅方向Ｘ１の両端には、断面Ｈ字状の係合部２２を設けてある。
【００４１】
〔第１及び第２ジョイントバー〕
図４及び図５に示すように、第１及び第２ジョイントバー５，６はいずれも、軸心方向と直交する方向の断面形状が同じ棒状の部材であって、ポリエチレン等の樹脂で構成されている。本実施形態においては、説明の便宜のため、横方向に沿う向きで使用するものを第１ジョイントバー５とし、縦方向に沿う向きで使用するものを第２ジョイントバー６と定義する。本実施形態では、第１ジョイントバー５については、第２ジョイントバー６よりも長く、且つダンパーパネル２０の長手方向Ｘ２の長さと略一致するように設定されている。
【００４２】
第１及び第２ジョイントバー５，６の軸心方向と直交する方向の断面の中央部には、長手方向Ｘ２に貫通する断面円形の貫通孔７が形成されている。さらに、その貫通孔７の周りを囲むように、長手方向Ｘ２に貫通する断面Ｔ字状の４つの被係合溝８が周方向に等間隔で形成されている。
【００４３】
図４に示すように、第１ジョイントバー５の被係合溝８に対しては、ダンパーパネル２０の係合部２２を、被係合溝８の端からスライドさせて被係合溝８の中に取り外し可能に嵌め込むことができるように構成されている。
【００４４】
図５に示すように、第２ジョイントバー６の被係合溝８に対しては、後述するストッパーキャップ１０の補助係合部１２や、スペーサー３０の補助係合部３２を、第２ジョイントバー６被係合溝８の端からスライドさせて取り外し可能に嵌め込むことができるように構成されている。
【００４５】
〔ストッパーキャップ〕
ストッパーキャップ１０は、第１及び第２ジョイントバー５，６の両端に取り外し可能に装着できる部材であり、高密度ポリエチレンやＡＢＳ樹脂等で構成されている。
【００４６】
以下説明の便宜上、ストッパーキャップ１０の幅方向Ｙ１と高さ方向Ｙ２と厚み方向Ｙ３とを図５に示すごとく定義する。また、便宜上、板部１１の「表面」と「裏面」とを使い分けるが、これらを入れ替えて読んでも実質的に差異は生じない。
【００４７】
ストッパーキャップ１０は、第１及び第２ジョイントバー５，６の断面と略同じ外形で四隅に丸みを帯びた板部１１を備え、その板部１１の表面に、断面Ｔ字状の補助係合部１２を備え、またその裏面に、２つの断面Ｔ字状の閉塞用係合部１３と、厚み方向Ｙ３の長さが閉塞用係合部１３よりも長く横断面形状が十字形の閉塞用柱部１４とを備える。
【００４８】
補助係合部１２は、板部１１の表面の幅方向Ｙ１の中央部において、高さ方向Ｙ２の全長に亘るように設けられており、第１及び第２ジョイントバー５，６の被係合溝８に対して取り外し可能に嵌め込めるように構成されている。閉塞用柱部１４は、板部１１の裏面の中央部に設けられており、第１及び第２ジョイントバー５，６の貫通孔７に対して取り外し可能に嵌め込めるように構成されている。２つの閉塞用係合部１３は、板部１１の裏面の高さ方向Ｙ２の中央部において、閉塞用柱部１４を挟んで対向する位置に設けられており、第１及び第２ジョイントバー５，６の被係合溝８に対して取り外し可能に嵌め込めるように構成されている。
【００４９】
これにより、第１及び第２ジョイントバー５，６の貫通孔７にストッパーキャップ１０の閉塞用柱部１４を嵌め込むと共に、第１及び第２ジョイントバー５，６の４つの被係合溝８のうちの対向配置する２つの被係合溝８のそれぞれに、ストッパーキャップ１０の２つの閉塞用係合部１３のそれぞれを嵌め込むことによって、ストッパーキャップ１０を第１及び第２ジョイントバー５，６の端部に取り付けることができる。
【００５０】
〔スペーサー〕
スペーサー３０は、第１及び第２ジョイントバー５，６の被係合溝８に対して取り外し可能に装着できる部材であり、高密度ポリエチレンやＡＢＳ樹脂等で構成されている。
【００５１】
以下説明の便宜上、スペーサー３０の幅方向Ｙ１と高さ方向Ｙ２と厚み方向Ｙ３とを図５に示すごとく定義する。また、便宜上、板部３１の「表面」と「裏面」とを使い分けるが、これらを入れ替えて読んでも実質的に差異は生じない。
【００５２】
スペーサー３０は、第１及び第２ジョイントバー５，６の断面と略同じ外形で四隅に丸みを帯びた板部３１を備え、その板部３１の表面に、断面Ｔ字状の補助係合部３２を備える。
【００５３】
補助係合部３２は、表面の幅方向Ｙ１の中央部において、高さ方向Ｙ２の全長に亘るように設けられており、第１及び第２ジョイントバー５，６の被係合溝８に対して取り外し可能に嵌め込めるように構成されている。
【００５４】
〔制振装置の組み立てについて〕
次に、制振装置の組み立て方法について説明するが、これは一例に過ぎず、ダンパーパネル２０、第１及び第２ジョイントバー５，６、ストッパーキャップ１０、及びスペーサー３０の組み付け手順については適宜変更して良い。
【００５５】
（１）制振用パネルの作製
先ず、図４及び図５に示すように、ダンパーパネル２０の２つの係合部２２のそれぞれに第１ジョイントバー５を嵌め込み、さらに各第１ジョイントバー５の両端に対して、補助係合部１２の向きがダンパーパネル２０の幅方向Ｘ１に沿うようにストッパーキャップ１０を装着する。以下、このように、ダンパーパネル２０と２本の第１ジョイントバー５と４つのストッパーキャップ１０とを組み合わせたものを、液体の流通を阻止する部材として邪魔板と称する。
【００５６】
上述のようにして、邪魔板を必要数作製する。尚、本実施形態では合計１６枚となる。
次いで、邪魔板の両端に装着したストッパーキャップ１０の補助係合部１２のそれぞれに、第２ジョイントバー６の被係合溝８を嵌め込む。さらに、それら２本の第２ジョイントバー６のそれぞれにおいて、邪魔板を嵌め込んだのと同じ被係合溝８に今度はスペーサー３０を嵌め込む。そして、さらに別の邪魔板を、スペーサー３０を嵌め込んだのと同じ被係合溝８に嵌め込む。
【００５７】
このようにスペーサー３０と邪魔板とを、第２ジョイントバー６の同じ被係合溝８に交互に嵌め込むという作業を繰り返して壁部３を形成する。本実施形態における壁部３では、４枚の邪魔板の間に合計６つのスペーサー３０を介在させることによって、横方向に延びる３つのスリット４が形成される。
【００５８】
上記壁部３の片方の第２ジョイントバー６を中心として、別の３本の第２ジョイントバー６のそれぞれを、前記片方の第２ジョイントバー６の被係合溝８のうち、未係合の３つの被係合溝８に対応する３方向に配置する。そして、前記片方の第２ジョイントバー６と、新たに配置された３つの第２ジョイントバー６のそれぞれとの間に、邪魔板とスペーサー３０とを交互に嵌め込むという、上述の壁部３を作製したときと同様の作業を繰り返すことによって、４つの壁部３を備え、且つ横断面形状が十字状の制振用パネル２を組み立てることができる。
【００５９】
以上の作業により、本発明の制振装置が完成する。尚、本実施形態の制振装置については、上述のダンパーパネル２０、第１及び第２ジョイントバー５，６、ストッパーキャップ１０及びスペーサー３０を組み合わせて使用することにより、横幅のサイズを自由に拡張することが可能であるため、規模の大きな液体用貯蔵タンクに対しても容易に対応することができる。
【００６０】
〔ダンパーパネル、第１及び第２ジョイントバー、ストッパーキャップ及びスペーサーの成形方法について〕
ダンパーパネル２０、第１及び第２ジョイントバー５，６については、公知の押出成形方法等によって容易に作製することができる。また、ストッパーキャップ１０及びスペーサー３０については、公知の射出成型方法等によって作製することができる。ダンパーパネル２０、第１及び第２ジョイントバー５，６、ストッパーキャップ１０及びスペーサー３０のいずれの構成部材も公知の成形方法によって容易に作製することが可能であるため、適用される液体用貯蔵タンクの形状や規模に応じて、そのサイズを適宜変更し易い。
【００６１】
図６に示すように、上述の第１実施形態に係る制振装置について、制振装置全体の剛性と浮力とを増大させるため、外枠部材４０を備えるように構成しても良い。
【００６２】
外枠部材４０は、上述のダンパーパネル２０、第１及び第２ジョイントバー５，６、ストッパーキャップ１０、並びにスペーサー３０を組み合わせることによって構成することができる。
【００６３】
制振用パネル２は外枠部材４０の中に配置され、制振用パネル２における４つの壁部３の先端のそれぞれが、外枠部材４０の矩形の各辺の中点において固定されている。
【００６４】
外枠部材４０は、４つの側壁部４１を備えるものであり、矩形の横断面形状を有する。本実施形態における各側壁部４１には、横方向全体に亘る複数のスリット４が、縦方向に所定の間隔をおいて形成されている。しかし、この構成に限らず、スリット４を設けない構成、即ち４つの側壁部４１の全面に後述するダンパーパネル２０を設ける構成としても良い。外枠部材４０にダンパーパネル２０を多く設けるほど、外枠部材４０ひいては制振装置全体の剛性と浮力とを増大させることが可能であるため、例えば外枠部材４０におけるダンパーパネル２０の数を調節することによって、制振装置の所定深さＤを調節することもできる。
【００６５】
本実施形態に係る制振装置の最大横幅は、外枠部材４０の矩形の対角線の長さＬ１となる。この長さＬ１は、液体用貯蔵タンクの横断面の矩形において対向する２辺の間の距離のうちの小さい方の長さＬ２、または対向する２辺の間の距離が同じ場合はその長さＬ３、よりも大きく設定される（Ｌ１＞Ｌ２又はＬ３）。これにより、浮遊する制振装置が水平方向に回転をしようとしても、外枠部材４０が液体用貯蔵タンクの内周面に接触して制振装置の回転運動を制限する。尚、本実施形態における液体用貯蔵タンクは、正方形の横断面形状を有するため、対向する２辺の間の距離はいずれも同じ長さＬ３である。
【００６６】
また、制振装置の外枠部材４０のサイズとしては、液体用貯蔵タンクＴの内周面と制振装置との間にできるだけ隙間が生じないように、液体用貯蔵タンクＴの内周全体に沿う大きさに設定することが望ましい。
【００６７】
また、外枠部材４０のその他の形態としては、例えば、図７に示すように、第１及び第２ジョイントバー５，６のみを組み合わせて簡素に構成したものであっても良い。
【００６８】
〔第２実施形態〕
以下、本発明に係る制振装置の第２の実施形態について、図面に基づいて説明する。尚、重複説明を避けるため、先の第１実施形態で説明した構成と同じ作用を奏する構成については、同じ符号を付すことにより説明を省略し、主として異なる構成についてのみ説明する。
【００６９】
〔制振装置〕
図８に示すように、本実施形態に係る制振装置は、スロッシングを制振する制振用パネル２を備えて構成される、上記第１実施形態と同じ「フロート式」の制振装置である。
【００７０】
〔制振用パネル〕
本実施形態に係る制振用パネル２は、平面視において中心部で十字状に交差する４つの壁部３を備えており、さらに各壁部３が平面視でＬ字状をなすものであって、各壁部３の端部同士がジョイント部材５０により連結されており、全体として平面視で８の字状となる。
【００７１】
各壁部３には、液体の流通を許容する部分として、壁部３の横方向全体に亘る複数のスリット４が、縦方向に所定の間隔をおいて設けられている。制振用パネル２のスリット４は、縦方向に隣接する２つのダンパーパネル２０の間に、ジョイント部材５０を介在させることによって形成されるものである。
【００７２】
スリット４の数については、使用するジョイント部材５０の数により必要に応じて適宜設定することができる。本実施形態においては、縦方向に４つのジョイント部材５０を配置しており、これにより各壁部３に３つのスリット４が形成されている。
【００７３】
尚、スリット４の縦幅は、ジョイント部材５０を構成する嵌合部材５１の高さ方向Ｚ３（図９参照）における被係合溝５５間の距離によって規定され、スリット４の横幅は、ダンパーパネル２０の長手方向の長さによって規定される。また、本実施形態に係る制振装置においては、平面視で両端に配置されるジョイント部材５０間の直線距離が最大横幅Ｌ１となる。
【００７４】
〔ジョイント部材〕
ジョイント部材５０は、高密度ポリエチレンやＡＢＳ樹脂等で構成される同一形状の２つの嵌合部材５１が互いに嵌め合わされて形成される。
【００７５】
以下、説明の便宜のため、嵌合部材５１の長手方向Ｚ１、幅方向Ｚ２、及び高さ方向Ｚ３を図９に示すように定義する。また嵌合部材５１の構成についても、説明の便宜上、Ｔ字状の切欠き部５６が上方に向かって開口する姿勢とした場合において説明する。
【００７６】
図９に示すように、嵌合部材５１は、長方形の板状部５２と、該板状部５２の両長辺側に設けられ板状部５２よりも肉厚の上側壁状部５３及び下側壁状部５４とを備えており、上側壁状部５３、板状部５２、及び下側壁状部５４に亘る断面形状がＨ字状となるように構成されている。
【００７７】
上側壁状部５３は、その長手方向中央部において２つに分断されている。そしてその分断部分となる大溝５６ａと、当該大溝５６ａから板状部５２の高さ方向中心部分まで切り欠かれた細溝５６ｂとを合わせて、側面視でＴ字状の切欠き部５６が形成されている。ここで、切欠き部５６における大溝５６ａの長手方向Ｚ１の長さは、嵌合部材５１の上側壁状部５３及び下側壁状部５４の幅方向Ｚ２の長さに略一致する。切欠き部５６における細溝５６ｂの長手方向Ｚ１の長さは、嵌合部材５１の板状部５２の厚みに略一致する。切欠き部５６の高さ方向Ｚ３における長さは、嵌合部材５１の高さ方向Ｚ３全長における略半分の長さである。
【００７８】
また切欠き部５６の大溝５６ａの上端部分、即ち分断された２つの上側壁状部５３における内側面の上端部分のそれぞれには、長手方向中央部に向けてわずかに張り出す爪部５７が設けられている。爪部５７は、分断された上側壁状部５３の上面から大溝５６ａ側にかけて落ち込むように傾斜するテーパー面５７ａを有する。
【００７９】
２つの上側壁状部５３には、その幅方向Ｚ２の中央部において長手方向Ｚ１に沿って貫通する断面Ｔ字状の被係合溝５５が形成されている。
【００８０】
下側壁状部５４の長手方向Ｚ１の中央部において、その幅方向Ｚ２の両端の角のそれぞれには、内側に凹む２つの段部５８が形成されている。この段部５８は、別の嵌合部材５１の爪部５７が係止可能に構成されている。
【００８１】
下側壁状部５４には、その幅方向Ｚ２の中央部において、長手方向Ｚ１の両端から中央部に向けて延びる断面Ｔ字状の２つの被係合溝５５が形成されている。
【００８２】
尚、上述の２つの上側壁状部５３の被係合溝５５、及び下側壁状部５４の２つの被係合溝５５のそれぞれの断面形状は、いずれも同じＴ字状であって、長手方向の長さも同じである。
【００８３】
また、嵌合部材５１の板状部５２の表面と裏面には、上側壁状部５３と下側壁状部５４に亘る補強リブ５９が、Ｔ字状の切欠き部５６の左右両側に設けられている。尚、本実施形態では、４つの補強リブ５９が設けられている。嵌合部材５１については、公知の射出成型方法等によって作製することができる。
【００８４】
次に、ジョイント部材５０の組み付け方法について説明する。
図１０に示すように、切欠き部５６同士が対向するように２つの嵌合部材５１を十字に交差させ、一方の嵌合部材５１の切欠き部５６に他方の嵌合部材５１の切欠き部５６を嵌め込む。これにより、一方の嵌合部材５１の切欠き部５６に、他方の嵌合部材５１の長手方向中央部における下側壁状部５４と板状部５２に亘る部分が嵌め込まれると同時に、前記他方の嵌合部材５１の切欠き部５６に、前記一方の嵌合部材５１の長手方向中央部における下側壁状部５４と板状部５２に亘る部分が嵌め込まれる。
【００８５】
このとき、一方の嵌合部材５１の爪部５７のテーパー面５７ａに対して、他方の嵌合部材５１の下側壁状部５４における幅方向Ｚ２両端の外側面が摺接することによって、一方の嵌合部材５１の爪部５７が弾性変形により大溝５６ａの長手方向外側に少し押し込まれた状態となる。そして、一方の嵌合部材５１の爪部５７の位置に他方の嵌合部材５１の段部５８が位置すると、爪部５７が弾性力により段部５８側に移動して係合する。即ち、一方の嵌合部材５１の爪部５７及び段部５８のそれぞれと、他方の嵌合部材５１の段部５８及び爪部５７のそれぞれとが係合し、２つの嵌合部材５１の十字交差が外れないように固定される。
【００８６】
上述のようにして組み付けられたジョイント部材５０の被係合溝５５に対して、図１１に示すように、上述のダンパーパネル２０の係合部２２を、被係合溝５５の端からスライドさせて被係合溝５５の中に取り外し可能に嵌め込むことができる。
【００８７】
〔制振装置の組み立てについて〕
次に、本実施形態の制振装置の組み立て方法について説明するが、これは一例に過ぎず、ダンパーパネル２０とジョイント部材５０の組み付け手順については適宜変更して良い。
【００８８】
ダンパーパネル２０については、上述の第１実施形態のダンパーパネル２０と同じものを使用することができる。
【００８９】
先ず、１枚のダンパーパネル２０の四隅にジョイント部材５０を装着する。つまり、ダンパーパネル２０の２つの係合部２２のそれぞれの両端に、ジョイント部材５０の被係合溝５５を嵌め込む。
【００９０】
次いで、ダンパーパネル２０を平面視でＬ字状に湾曲させつつ、別のＬ字状に湾曲させたダンパーパネル２０の係合部２２の両端を、先のダンパーパネル２０の４つのジョイント部材５０の被係合溝５５に嵌め込み、平面視で四角状の枠を形成する。
【００９１】
後は、４つのジョイント部材５０にＬ字状に湾曲させたダンパーパネル２０の係合部２２の両端を嵌め込むという上述の作業を、ダンパーパネル２０とジョイント部材５０を適宜追加しながら上下方向及び横方向に繰り返し、連結していく。これにより、平面視において中心部で十字状に交差し、且つＬ字状をなす４つの壁部３の端部同士がジョイント部材５０により連結され、全体として平面視で８の字状となる制振用パネル２を組み立てることができる。
【００９２】
上述のとおり、本実施形態の制振装置については、ダンパーパネル２０とジョイント部材５０の２種類の部材で組み立てることが可能であるため、上述の第１実施形態の場合と比べて必要な部品点数が少なくて済み、施工性も良い。
【００９３】
〔制振装置の制振効果について〕
以上のような構成の制振装置であれば、例えば、液体用貯蔵タンクＴがどの方向に沿って揺れても、スロッシング時に液体用貯蔵タンクＴのうち上層部分において、貯蔵液体Ｗは必ず制振用パネル２のスリット４を流通する。
そして、貯蔵液体Ｗが制振用パネル２のスリット４を流通する際に、ダンパーパネル２０による流通制限によって貯蔵液体Ｗの見かけ上の粘度が上昇する。特に上述の実施形態では、ダンパーパネル２０に凹凸面を設けてあるため、ダンパーパネル２０の外周面と貯蔵液体Ｗとの接触面積がフラットな平板を用いる場合よりも大きく、貯蔵液体Ｗの見かけ上の粘度はより一層大きくなる。
このため、図１２に示すごとく、貯蔵液体Ｗの揺動エネルギーが大きく減衰され、効率良くスロッシングを制振することができる（図１２に実線で示した液面ＷＬ参照）。なお、図１２において二点鎖線で示したＷＬ−０は、制振装置を配設していない場合におけるスロッシング時の液面である。
【００９４】
〔その他の実施形態について〕
上述の第１及び第２実施形態におけるスリット４としては、壁部３の横方向全体に亘るものに限らず、縦方向全体に亘るものであっても良い。この場合、壁部３の縦方向全体に亘るスリットが、壁部３の横方向に所定の間隔をおいて設けられる。またあるいは壁部３において、横方向全体に亘るスリットと縦方向全体に亘るスリットとを組み合わせて設けても良い。またさらにスリットの形状は、壁部３の横方向又は縦方向の全体には亘らない横長又は縦長の形状であっても良い。
【００９５】
上述の第２実施形態における８の字状の制振用パネル２については、上述の構成に限らず、例えば、端部のジョイント部材５０を使用せずに、もっと長いダンパーパネル２０を中心部のジョイント部材５０から１周回して設置して８の字を形成する構成としても良い。またあるいは、十字状に交差するように直線状のダンパーパネル２０を中心部のジョイント部材５０に設置し、各ダンパーパネル２０の端部にジョイント部材５０を取り付けて、平面視でＬ字状のダンパーパネル２０を前記端部のジョイント部材５０に接続することによって８の字を形成する構成としても良い。
【００９６】
〔実証実験について〕
本発明の制振装置の効果を確認する実証実験を行ったので、その実証実験の条件及び実証結果について説明する。
【００９７】
図１３に示すように、液体用貯蔵タンクとして、幅３ｍ×奥行３ｍ×高さ３ｍの水平断面形状四角形の実機ステンレス製パネル式タンクを用意した。
【００９８】
また制振装置として、上述の図７に示す形態の制振装置を使用した。本制振装置のサイズは、幅２９８２ｍｍ×奥行２９８２ｍｍ×高さ１４５０ｍｍであり、縦２６６ｍｍ×横１５１１ｍｍのダンパーパネルを使用して、スリットの縦幅を７１．２ｍｍに設定した。
【００９９】
上記制振装置を設置した場合と、設置しない場合とで生じるタンクパネルの応答加速度、タンク構造部材の歪み、及びタンクパネルに生じる圧力を計測するため、図１３に示すように、タンクパネルの所定の位置に加速度計及び圧力計を設置すると共に、タンク２段目の内部補強材に歪みゲージを設置した。
【０１００】
当該タンクを振動台に設置して、２５ｔの水を入れて振動実験を行った。当該振動実験では安全面や振動台の性能面を考慮して、１９９５年に発生した兵庫県南部地震で観測されたＪＭＡ神戸ＮＳ方向の地震波を５０％変位に調整して実施した。
【０１０１】
タンクに地震波（ＪＭＡ神戸波）を与えた場合、スロッシングと共にタンクパネルと内部の水とが連成するバルジングが生じることが確認された。その時のタンクパネルの振動は、図１６に示すようにタンクパネル中央が大きく変形するモードであり、タンクパネルの中央部に設置した加速度計において大きな値が計測された。その時のタンクパネル中央部における加速度応答波形を図１４及び図１５に示す。
【０１０２】
図１４及び図１５に示すように、本発明の制振装置は、地震発生時にタンクパネルに生じる加速度応答を半減させることがわかった。
【０１０３】
また、その時のタンクパネルのパワースペクトルを図１７に示す。図１７に示すように、タンクパネルの振動が３．５Ｈｚ付近で卓越していることから、スロッシング（１Ｈｚ以下）ではなく、バルジング振動が発生したと考えられる。
【０１０４】
さらにタンク内部に生じる歪みを、本発明の制振装置の有無で比較した。その結果を、図１８及び図１９に示す。図１８及び図１９に示すように、本発明の制振装置によって若干歪みが低減している傾向があるが、隅角部の斜材は非常に薄く、タンクパネルの変形によって大きく曲るため、バルジングに対する補強効果にはほとんど影響しないものと考えられる。尚、今回計測できなかったが、振動実験後のタンク内部を確認すると斜材の永久変形が確認された。
【０１０５】
また、本発明の制振装置を設置しない場合、タンクパネル間の溶接部にき裂が生じ、水漏れが確認された。このことからも、より大きな地震動によってバルジング等が発生し、タンクパネルが内容液と連動して共振することで貯水槽の破壊に至ることも示唆された。
【０１０６】
次いで、本発明の制振装置の減衰性能を把握するための実証実験を行った。
本タンクを４５°方向に起振するように振動台に設置し、起振条件として、本タンクに水深２７００ｍｍまで水を注水したときの本タンクの一次固有振動数である０．４９Ｈｚの正弦波を変位±５ｍｍで１０波起振する１次スロッシングモード、及び本タンクに水深２７００ｍｍまで水を注水したときの本タンクの二次固有振動数である０．８７Ｈｚの正弦波を変位±５ｍｍで１０波起振する２次スロッシングモードを設定した。そして、各スロッシングモードにおける、液面波高及び自由減衰揺動をレーザー変位計で計測して、応答波高を比較した。
【０１０７】
図２０〜図２３に示すように、本発明の制振装置を設置することによって、波高を半減させることができ、スロッシングによる波高を即座に減衰させていることが理解できる。
【産業上の利用可能性】
【０１０８】
本発明の制振装置は、受水槽や石油タンクなどの液体貯蔵設備を使用する幅広い産業分野において使用可能である。
【符号の説明】
【０１０９】
２  制振用パネル
３  壁部
４  スリット
５  第１ジョイントバー
６  第２ジョイントバー
７  貫通孔
８  被係合溝
１０  ストッパーキャップ
１１  板部
１２  補助係合部
１３  閉塞用係合部
１４  閉塞用柱部
２０  ダンパーパネル
２１  溝
２２  係合部
３０  スペーサー
３１  板部
３２  補助係合部
４０  外枠部材
４１  側壁部
５０  ジョイント部材
５１  嵌合部材
５２  長方形の板状部
５３  上側壁状部
５４  下側壁状部
５５  被係合溝
５６  Ｔ字状の切欠き部
５６ａ  大溝
５６ｂ  細溝
５７  爪部
５７ａ  テーパー面
５８  段部
５９  補強リブ
Ｔ  液体用貯蔵タンク
Ｗ  貯蔵液体
【図１】
2015147590.tif 000003
【図２】
2015147590.tif 000004
【図３】
2015147590.tif 000005
【図４】
2015147590.tif 000006
【図５】
2015147590.tif 000007
【図６】
2015147590.tif 000008
【図７】
2015147590.tif 000009
【図８】
2015147590.tif 000010
【図９】
2015147590.tif 000011
【図１０】
2015147590.tif 000012
【図１１】
2015147590.tif 000013
【図１２】
2015147590.tif 000014
【図１３】
2015147590.tif 000015
【図１４】
2015147590.tif 000016
【図１５】
2015147590.tif 000017
【図１６】
2015147590.tif 000018
【図１７】
2015147590.tif 000019
【図１８】
2015147590.tif 000020
【図１９】
2015147590.tif 000021
【図２０】
2015147590.tif 000022
【図２１】
2015147590.tif 000023
【図２２】
2015147590.tif 000024
【図２３】
2015147590.tif 000025